(57)【要約】【課題】クリート部の確実な支持剛性が得られると共に広い点検窓によって目視点検作業を容易にする。【解決手段】ガイドレール９、１１に沿って移動可能な踏段フレーム１７の上方開口周縁フレーム１９に踏板となるクリート部２１を設け、そのクリート部２１に、内部を直接目視するための透明な点検窓２３を備えるようにする。【選択図】図１
2005112559.tif 000002
【特許請求の範囲】
【請求項１】
少なくともガイドレールに沿って移動可能な踏段フレームと、その踏段フレームの上方開口周縁フレームに支持された踏板となるクリート部とを有し、前記クリート部は、内部を直接目視するための透明な点検窓を備えていることを特徴とするエスカレータの踏段。
【請求項２】
前記点検窓を有するクリート部は、開閉自在となっていることを特徴とする請求項１記載のエスカレータの踏段。
【請求項３】
前記踏段フレームの内側に、電源付きの照明装置を備えていることを特徴とする請求項１又は２記載のエスカレータの踏段。
【請求項４】
前記踏段フレームの左右の側方フレームは、大きく開口したサイド点検窓孔を有していることを特徴とする請求項１記載のエスカレータの踏段。
【請求項５】
前記踏段フレームの底面側にはガイドレール清掃用の清掃ブラシが配置されていることを特徴とする請求項１記載のエスカレータの踏段。
【発明の詳細な説明】
【技術分野】
【０００１】
本発明は、点検作業に適するエスカレータの踏段に関する。
【背景技術】
【０００２】
一般にエスカレータは階段状に形成された踏段がエンドレスに回動することで昇り、降りが行なえるようになっている。
【０００３】
踏段の両サイドはスカートガードとなっていて、そのスカートガードに沿って前記踏段が移動するところから、踏段の両サイドはスカートガードによるガード壁となるため内部の点検を行なう場合には踏段を何段か取外すことでエスカレータの一部分に出入りするための点検用の開口部を作るようになっている。
【０００４】
踏段を何段か取外して行なう点検作業は、作業が大変面倒になるところから、踏段に点検用の透明窓を設け、その点検用の窓から内部を目視することで、内部点検が行なえるようにしたものがある。
【０００５】
点検用の透明窓は、踏板となる点検カバーによって覆われ、点検カバーを取外すと、透明窓が現れる構造となっている。
【０００６】
この場合、透明窓は点検カバーによって傷等がつきにくい効果が期待できる反面、点検用の透明窓は、点検カバーによって覆われるところから、開口面積を大きくする場合に制約を受ける。
【０００７】
本来、目視点検の主目的は内部を隅々まで目視できるようにすることであるが、前記点検用の透明窓は点検領域が狭く制約を受ける問題を招く。
【０００８】
また、点検窓による目視点検によって異常があった場合には、点検窓を取外す等の面倒な作業を必要とする。
【特許文献１】特開２００２−４６９６８号公報
【発明の開示】
【発明が解決しようとする課題】
【０００９】
前記した如く、点検窓は開口面積が狭いために目視点検領域も狭くなり点検作業に制約を受けることと、仮りに点検窓を取外した場合でも出入りするための口が狭く作業性の面で望ましくない。
【課題を解決するための手段】
【００１０】
そこで、本発明は、少なくともガイドレールに沿って移動可能な踏段フレームと、その踏段フレームの上方開口周縁フレームに支持された踏板となるクリート部を有し、前記クリート部は、内部を直接見るための透明な点検窓を備えていることを特徴とする。
【発明の効果】
【００１１】
本発明のエスカレータの踏段によれば、内部を目視する点検窓の開口面積を大きくすることができると共に、点検窓を有するクリート部は上方開口周縁フレームとによって支持剛性の高い確実な支持状態が得られる。
【発明を実施するための最良の形態】
【００１２】
第１には、目視点検時に異常が見つかった時に、内部への出入りが行なえるよう前記点検窓を有するクリート部を開閉自在とする。
【００１３】
第２には、内部へ入って作業を行なう時に、エスカレータのメイン電源を切っても、踏段内部の作業場所を明るく照らす独立した電源付きの照明装置を前記踏段フレームの内側に設ける。
【００１４】
第３には、踏段をガイドする左右のガイドレール領域まで確実に目視できるようにする大きく開口したサイド点検窓孔を前記踏段フレームの左右のフレームに設ける。
【００１５】
第４には、踏段を移動させた時に、ガイドレール内のゴミ等を取除くガイドレール用の清掃ブラシを前記踏段フレームに設ける。
【実施例１】
【００１６】
図１は、この発明にかかるエスカレータ１の踏段３の概要切断説明図を示している。
【００１７】
踏段３は、前方に前輪５が、後方に後輪７がそれぞれ配置され、前輪５及び後輪７は各ガイドレール９、１１に沿って走行可能となっている。各ガイドレール９、１１の内、後輪７のガイドレール９は断面Ｌ字状となっている。前輪５のガイドレール１１はゴミの溜りにくい板状の形状となっている。
【００１８】
前輪５の前輪軸１３は図外の駆動モータによってエンドレスに回動する踏段チェーン１５に支持され、その踏段チェーン１５の回動によって踏段３の牽引制御が行なわれるようになっている。
【００１９】
踏段３は踏段フレーム１７の上方開口周縁フレーム１９によって支持された踏板となるクリート部２１を有し、クリート部２１には目視点検用の点検窓２３が設けられている。
【００２０】
点検窓２３は、強度剛性の高いアクリルでできた透明板で作られていて、開口面積が大きく確保された形状となっている。
【００２１】
クリート部２１の上面は、図３に示すようにゼブラ模様となっていて点検用の踏段３であることが一目でわかるようになっている。
【００２２】
クリート部２１は、前方の固定フレーム部２１ａと左右及び後方の可動フレーム部２１ｂとから成り、可動フレーム部２１ｂは固定フレーム部２１ａに沿って設けられたヒンジ２５を支点として、上方へ回動した開の状態となる。この時、露出した踏段フレーム１７の上方開口周縁フレーム１９の開口が作業用の出入口２７となり、内部への出入りが可能となる。また、可動フレーム部２１ｂは、踏段フレーム１７の上方開口周縁フレーム１９によって支持された閉の状態とに開閉可能となっている。
【００２３】
この場合、閉の状態のクリート部２１は、上方開口周縁フレーム１９とによって強度剛性の高い支持状態が得られるようになっている。
【００２４】
また、図２に示すように、閉の状態のクリート部２１は、そのクリート部２１を構成する可動フレーム部２１ｂの内側に設けられた、例えば、Ｓ極の磁石２９と前記上方開口周縁フレーム１９の上面に設けられたＮ極の磁石３１同志が吸着し合うことで結合状態が確保されるようになっている。したがって、出入口２７を露出させる場合には前記各磁石２９、３１の吸着力に抗してクリート部２１を図１矢印のように上方へ回動させることで達成できる。
【００２５】
踏段フレーム１７は、前記した上方開口周縁フレーム１９と左右の側方フレーム３３と前記上方開口周縁フレーム１９及び左右の側方フレーム３３とをつなぐ後方フレーム３５とで構成されている。
【００２６】
左右の側方フレーム３３は、大きく開口したサイド点検窓孔３７が設けられ、点検窓から側方フレーム３３の外側となる踏段チェーン１５及びガイドレール１１の様子が目視可能となっている。なお、サイド点検窓孔３７の開口周縁は保護用のゴム３９が取付けられ、開口周縁のエッジをカバーすることで点検作業時の安全が確保されるようになっている。
【００２７】
踏段フレーム１７の内側には、照明装置４１と、その照明装置４１の独立した電源部４３がそれぞれ設けられている。
【００２８】
照明装置４１は、左右に配置され、両ガイドの領域にわたってしっかり照明することが可能となっている。照明装置４１のスイッチ４５は、図１に示すように踏段フレーム１７の後方フレーム３５に設けられ、前記クリート部２１が閉まっている時はそのクリート部２１によってスイッチ端子が押圧され（実線）スイッチ回路は遮断されたオフの状態にある。また、クリート部２１が上方へ回動し開いた状態の時は押圧が解除されることでスイッチ端子は上昇（仮想線）し、スイッチ回路はオン状態となり、エレベータ１のメイン電源がオフ状態にあっても、照明装置４１は独立した電源部４３からの電力の供給によって内部を照らすことが可能となっている。
【００２９】
一方、踏段フレーム１７の底面左右にはガイドレール清掃用の清掃ブラシ４５が設けられている。
【００３０】
清掃ブラシ４５は、踏段３が移動する時にガイドレール９上面のゴミ等を取除く機能を備えているもので、この実施形態にあっては後輪走行用のガイドレール９を清掃するようになっている。
【００３１】
この場合、前輪走行用のガイドレール１１であってもよく、あるいは、後輪、前輪走行用の各ガイドレール９、１１を同時清掃できるよう組合せた手段にすることも可能である。
【００３２】
このように構成されたエスカレータ１の踏段３において点検作業を行なう場合には、エスカレータ１の上と下に安全棚を設置した後、点検窓２３を見ながら特に内部の異音に耳を傾け踏段３をゆっくり回動させながら点検作業を進める。この時、点検窓２３が広いため、点検作業がやり易くなる。
【００３３】
この時、点検作業時に、異常が発見された場合には、エスカレータ１のメイン電源を遮断し、安全を確保した後、クリート部２１となる点検窓２３を上方へ回動し、出入口２７を露出させる。この時、照明装置４１がオンとなり内部を明るく照らすようになるから、出入口２７から内部へ入ることで、照明装置４１の下での作業が容易に行なえるようになる。
【図面の簡単な説明】
【００３４】
【図１】この発明にかかるエスカレータの踏段の一部分を示した概要切断説明図。
【図２】点検窓を備えたクリート部を上方へ回動させ出入口を露出させた概要説明図。
【図３】踏段の概要平面図。
【符号の説明】
【００３５】
３    踏段
９、１１    ガイドレール
１５    踏段チェーン
１７    踏段フレーム
１９    上方開口周縁フレーム
２１    クリート部
２３    点検窓
３３    側方フレーム
３７    サイド点検窓孔
４１    照明装置
４３    電源部
４５    清掃ブラシ  
【図１】
2005112559.tif 000003
【図２】
2005112559.tif 000004
【図３】
2005112559.tif 000005